(57)【要約】【課題】本発明の目的は、ねじ部材を用いて第２の機器を取り付けることが可能な電子機器において、雌ねじの底抜けによる水や塵などの電子機器内部への侵入を防止することである。【解決手段】本発明の実施の形態に係るデジタルカメラは、シャーシ１１を具えたカメラ本体１にねじ部材を用いて三脚を取り付けることが可能であって、シャーシ１１には、三脚を取り付けるための樹脂製の取付け座３が設けられている。取付け座３には、ねじ部材をねじ込むための雌ねじ３１が形成されると共に、雌ねじ３１の底面３２と取付け座３の背面３３とを形成する閉塞部３４が形成されている。そして、取付け座３には、閉塞部３４をその背面３３から支持すべき金属板４が固定されている。【選択図】図５
2010032688.tif 000002
【特許請求の範囲】
【請求項１】
シャーシを具えた機器本体にねじ部材を用いて第２の機器を取り付けることが可能な電子機器において、前記シャーシには、前記第２の機器を取り付けるための樹脂製の取付け座が設けられ、該取付け座には、前記ねじ部材をねじ込むための雌ねじが形成されると共に、該雌ねじの底面と取付け座の背面とを形成する閉塞部が形成され、該取付け座には、前記閉塞部をその背面から支持すべき金属板が固定されていることを特徴とする、電子機器。
【請求項２】
前記シャーシは樹脂製であって、該シャーシに前記取付け座が一体に形成され、該取付け座は有底筒状を呈して該シャーシの外に向けて開口し、該取付け座の内周面に前記雌ねじが形成されている、請求項１に記載の電子機器。
【発明の詳細な説明】
【技術分野】
【０００１】
本発明は、三脚などの第２の機器を取り付けることが可能な電子機器に関する。
【背景技術】
【０００２】
従来から、デジタルカメラは、三脚の取付けが可能な構成となっている（例えば、下掲の特許文献１参照）。具体的にはデジタルカメラは、雌ねじが形成された三脚座を具え、三脚に突設されている雄ねじ（ねじ部材）を、三脚座の雌ねじにねじ込むことによって、三脚はデジタルカメラに取り付けられる。デジタルカメラに三脚を取り付けることによって、デジタルカメラは所定の位置に支持される。
【０００３】
従来のデジタルカメラでは、三脚座に樹脂製のものが用いられていた。また、雌ねじを通って水や塵などがデジタルカメラ内部に侵入することを防止すべく、三脚座は凹状を呈し、該三脚座の内周面に雌ねじが形成されていた。このため、雌ねじの底面から三脚座の背面までの三脚座の厚さ（以下、単に「厚さ」という）が小さいと、三脚の雄ねじを三脚座の雌ねじにねじ込む場合に、次のような問題を生じる虞があった。すなわち、三脚の雄ねじが三脚座の雌ねじの底面に至ったにも拘らず、更に雄ねじにねじ込み力が加えられると、雄ねじによって雌ねじの底が抜けてしまう。雌ねじの底が抜けると、雌ねじを通って水や塵などがデジタルカメラ内部に侵入し、延いてはデジタルの故障を招く虞がある。
【０００４】
そこで、従来のデジタルカメラでは、雌ねじの底抜けを防止すべく、図１０に示される様に、雌ねじ９１の底面９２から三脚座９の背面９３までの三脚座９３の厚さＬ９が大きく形成されている。具体的には厚さＬ９は、少なくとも２ｍｍ程度である。
【特許文献１】特開平１０−１６１２１０号公報
【発明の開示】
【発明が解決しようとする課題】
【０００５】
しかし、厚さが大きい三脚座は、デジタルカメラの小型化の妨げとなる。厚さを小さくしつつ、底抜けに対する強度を高くするために、三脚座にダイキャスト製のものを用いることが考えられる。しかし、三脚座にダイキャスト製のものを採用すると、カメラの製造コストが増大してしまう。このような事情は、デジタルカメラに限らず、三脚などの第２の機器を、ねじ部材を用いて取り付けることが可能な電子機器において生じ得る。
【０００６】
そこで、本発明の目的は、ねじ部材を用いて第２の機器を取り付けることが可能な電子機器において、雌ねじの底抜けによる水や塵などの電子機器内部への侵入を防止することである。
【課題を解決するための手段】
【０００７】
本発明に係る電子機器は、シャーシ（１１）を具えた機器本体（１）にねじ部材（２１）を用いて第２の機器（２）を取り付けることが可能であって、前記シャーシには、前記第２の機器を取り付けるための樹脂製の取付け座（３）が設けられ、該取付け座には、前記ねじ部材をねじ込むための雌ねじ（３１）が形成されると共に、該雌ねじの底面（３２）と取付け座の背面（３３）とを形成する閉塞部（３４）が形成され、該取付け座には、前記閉塞部をその背面（３３）から支持すべき金属板（４）が固定されている。
【０００８】
本発明に係る電子機器によれば、雌ねじの底面と取付け座の背面とを形成する閉塞部は、取付け座に形成されている雌ねじを取付け座の背面において閉塞するので、雌ねじを通して水や塵などが電子機器内部に侵入することが防止される。また、雌ねじの底面に至ったねじ部材に、更にねじ込み力が加えられたとしても、該ねじ込み力は、金属板によって受け止められる。よって、ねじ部材によって閉塞部が突き破られることがなく、以って雌ねじの底抜けによる水や塵などの電子機器内部への侵入が防止される。
【０００９】
上記電子機器の具体的構成において、前記シャーシ（１１）は樹脂製であって、該シャーシに前記取付け座（３）が一体に形成され、該取付け座は有底筒状を呈して該シャーシの外に向けて開口し、該取付け座の内周面（３５）に前記雌ねじが形成されている。
【００１０】
上記具体的構成によれば、別部品の取付け座をシャーシに取り付ける形態よりも、シャーシに取付け座を一体に形成する形態の方が、電子機器の製造が簡略化される。また、取付け座の形状を有底筒状にすることにより、取付け座のサイズが小さくなるので、取付け座が電子機器の小型化の妨げになることが回避できる。
【発明の効果】
【００１１】
本発明に係る電子機器によれば、雌ねじの底抜けによる水や塵などの電子機器内部への侵入を防止することができる。
【発明を実施するための最良の形態】
【００１２】
以下、本発明をデジタルカメラに実施した形態につき、図面に沿って具体的に説明する。
【００１３】
本発明の実施の形態に係るデジタルカメラは、図１に示される様に、カメラ本体１に三脚２を取り付けることが可能であり、カメラ本体１には、図２及び図３に示される様に、三脚２を取り付けるための樹脂製の取付け座３が設けられている。取付け座３には雌ねじ３１が形成されており、三脚２に突設されている雄ねじ２１を雌ねじ３１にねじ込むことによって、三脚２はカメラ本体１に取り付けられる。
【００１４】
取付け座３は、カメラ本体１に配備された樹脂製のシャーシ１１（図４）に設けられている。取付け座３は、シャーシ１１と一体に形成されてもよいし、別部品としてシャーシ１１に取り付けられてもよい。尚、本実施の形態に係るデジタルカメラでは、図４に示される様に、取付け座３はシャーシ１１に一体に形成されている。これにより、別部品の取付け座をシャーシ１１に取り付ける形態よりも、シャーシ１１に取付け座３を一体に形成する形態の方が、デジタルカメラの製造が簡略化される。
【００１５】
取付け座３には、図５に示される様に、雌ねじ３１の底面３２と取付け座３の背面３３とを形成する閉塞部３４が形成されている。具体的には、取付け座３は、図５乃至図７に示される様に有底筒状を呈し、図４に示される様にシャーシ１１の外側に向けて開口している。そして、取付け座３の内周面３５には雌ねじ３１が形成されている。尚、取付け座３の形状を有底筒状にすることにより、取付け座３のサイズが小さくなるので、取付け座３がデジタルカメラの小型化の妨げになることが回避できる。
【００１６】
取付け座３には、図５並びに図８及び図９に示される様に、閉塞部３４をその背面３３から支持すべき金属板４が固定されている。具体的には金属板４は、以下のような形態で背面３３に固定されている。
【００１７】
図６に示される様に、取付け座３の開口部３６の周辺には、シャーシ１１の一部（取付け座周辺部）１２が配置されている。また、図７に示される様にシャーシ１１には、取付け座３の背面３３から雌ねじ３１とは反対側に離間した位置に、突起部１３が形成されている。金属板４は、図５に示される様に、取付け座３の背面３３、外周面３７、及び取付け座周辺部１２の背面１４に沿ってクランク状に延び、該背面３３及び背面１４に当接すると共に、背面３３に当接する当接面４１の背面４２が突起部１３に当接している。
【００１８】
そして金属板４は、図７及び図９に示される様に、取付け座周辺部１２の背面１４に当接する金属板４の当接面４３から、金属板４の背面４２までの距離Ｌ１（図９）が、取付け周辺部１２の背面１４から突起部１３までの距離Ｌ２（図７）よりも大きくなるように、クランク状に折り曲げられている。よって、取付け座３の背面３３に取り付けられた金属板４は、取付け周辺部１２及び突起部１３によって、押圧力が加えられた状態で挟み込まれる。これにより、金属板４は、取付け座３の背面３３に固定される。
【００１９】
取付け座３の外周面３８には、図７に示される様に突出部３９が形成されている。また、金属板４には、図９に示される様に嵌合孔４４が形成されている。金属板４１が取付け座３の背面３３に取り付けられるときに、突出部３９は嵌合孔４４に嵌められる。これにより、取付け座３の背面３３への金属板４１の固定が、より強固になる。
【００２０】
尚、カメラ本体１には、格納された充電池の脱落を防止するためのロックレバー（図示せず）が設けられており、金属板４には、図９に示される様に、該ロックレバーを枢支するための枢支孔が形成されている。また、図３に示される様にねじ部材５によってキャビネット５１をシャーシ１１に固定するために、金属板４には、図９に示される様に雌ねじ４６が形成されている。すなわち、金属板４は、ロックレバーを枢支する機能やキャビネット５１をシャーシ１１に固定する機能と、取付け座３を背面３３から支持する機能とを兼備している。
【００２１】
上述したデジタルカメラによれば、雌ねじ３１の底面３２と取付け座３の背面３３とを形成する閉塞部３４は、取付け座３に形成されている雌ねじ３１を取付け座３の背面３３において閉塞するので、雌ねじ３１を通して水や塵などがカメラ本体１内部に侵入することが防止される。また、取付け部３は樹脂製であるので、カメラ本体１内部に設置された電気部品の、静電気による破損が防止される。
【００２２】
しかも、雌ねじ３１の底面３２に至った三脚２の雄ねじ２１に、更にねじ込み力が加えられたとしても、該ねじ込み力は、金属板４によって受け止められる。よって、雄ねじ２１によって閉塞部３４が突き破られることがなく、以って雌ねじ３１の底抜けによる水や塵などのカメラ本体１内部への侵入が防止される。
【００２３】
また、上述したデジタルカメラによれば、金属板４によって雌ねじ３１の底抜けが防止されるので、取付け座２の閉塞部３４の厚さＬ３（図５）は、例えば図１０に示される従来の取付け座９の厚さＬ９に比べて小さくすることができる。具体的には厚さＬ３は、０．４ｍｍ程度にすることができる。金属板４の厚さは０．６ｍｍ程度であるので、閉塞部３４と金属板４とを併せても、その厚さは１ｍｍ程度であり、従来の取付け座９の厚さＬ９よりも小さくなる。
【００２４】
尚、本発明の各部構成は上記実施の形態に限らず、特許請求の範囲に記載の技術的範囲内で種々の変形が可能である。例えば、上述した技術は、デジタルカメラ及びそれに取り付けられる三脚に限らず、監視用カメラ及びそれに取り付けられるハードディスクドライブなど、種々の電子機器及びそれに取り付けられる第２の機器に適用することができる。
【図面の簡単な説明】
【００２５】
【図１】三脚が取り付けられた状態のデジタルカメラの斜視図である。
【図２】三脚が取り外された状態のデジタルカメラの斜視図である。
【図３】デジタルカメラの要部を示す拡大斜視図である。
【図４】デジタルカメラのシャーシの斜視図である。
【図５】図３に示されるV‐V線に沿う断面図である。
【図６】取付け座を開口部側から見た拡大斜視図である。
【図７】取付け座を背面側から見た拡大斜視図である。
【図８】金属板が固定された取付け座を開口部側から見た拡大斜視図である。
【図９】金属板が固定された取付け座を背面側から見た拡大斜視図である。
【図１０】従来の三脚座の断面図である。
【符号の説明】
【００２６】
１  カメラ本体（機器本体）
１１  シャーシ
２  三脚（第２の機器）
２１  雄ねじ（ねじ部材）
３  取付け座
３１  雌ねじ
３２  雌ねじの底面
３３  取付け座の背面
３４  閉塞部
３５  取付け座の内周面
４  金属板
【図１】
2010032688.tif 000003
【図２】
2010032688.tif 000004
【図３】
2010032688.tif 000005
【図４】
2010032688.tif 000006
【図５】
2010032688.tif 000007
【図６】
2010032688.tif 000008
【図７】
2010032688.tif 000009
【図８】
2010032688.tif 000010
【図９】
2010032688.tif 000011
【図１０】
2010032688.tif 000012